(57)【要約】【課題】注目度を向上させることである。【解決手段】デジタルサイネージ装置２のプロジェクタ及び表示部は、複数種類の画像を表示する。抽選サーバ３の制御部は、複数種類の画像から何れかを受け付ける。抽選サーバ３の制御部は、受け付けられた画像に対応した当せん確率で抽選を行う。抽選サーバ３の制御部は、当せんしたとき、景品を付与するための処理を行う。【選択図】図１
2014197301.tif 000002
【特許請求の範囲】
【請求項１】
複数種類の画像を表示する表示手段と、
前記複数種類の画像から何れかを受け付ける受付手段と、
前記受付手段によって受け付けられた画像に対応した当せん確率で抽選を行う抽選手段と、
前記抽選手段によって当せんとしたときに、景品を付与するための処理を行う景品付与手段と、
を備えたことを特徴とする表示装置。
【請求項２】
撮像手段を備えた携帯端末と通信可能であって、
前記受付手段は、前記携帯端末によって撮像された画像を示す情報を受信することにより、前記複数種類の画像から何れかを受け付けることを特徴とする請求項１に記載の表示装置。
【請求項３】
前記複数種類の画像から何れかを選択操作するための操作手段を備え、
前記受付手段は、操作手段の操作によって選択された画像を受け付けることを特徴とする請求項１に記載の表示装置。
【請求項４】
前記景品付与手段は、複数種類の景品から前記受付手段によって受け付けられた画像に応じたものを付与するための処理を行うことを特徴とする請求項１〜３の何れか一項に記載の表示装置。
【請求項５】
付与する景品としてのクーポンを発行する発行手段を備えたことを特徴とする請求項１〜４の何れか一項に記載の表示装置。
【請求項６】
表示装置と、景品提供装置とを備えた景品提供システムにおいて、
前記表示装置は、
複数種類の画像を表示する表示手段を備え、
前記景品提供装置は、
前記複数種類の画像から何れかを受け付ける受付手段と、
前記受付手段によって受け付けられた画像に対応した当せん確率で抽選を行う抽選手段と、
前記抽選手段によって当せんとしたときに、景品を付与するための処理を行う景品付与手段と、
を備えたことを特徴とする景品提供システム。
【請求項７】
前記景品提供装置は、撮像手段を備えた携帯端末と通信可能であって、
前記受付手段は、前記携帯端末によって撮像された画像を示す情報を受信することにより、前記複数種類の画像から何れかを受け付けることを特徴とする請求項６に記載の景品提供システム。
【請求項８】
前記表示装置は、
前記複数種類の画像から何れかを選択操作するための操作手段と、
前記操作手段の操作によって選択された画像を示す情報を前記景品提供装置に送信する送信手段と、
を備え、
前記景品提供装置は、前記表示装置から送信された画像を示す情報を受信する受信手段を備え、
前記受付手段は、前記受信手段によって受信した画像を示す情報に基づいて前記複数種類の画像から何れかを受け付けることを特徴とする請求項６に記載の景品提供システム。
【請求項９】
前記景品付与手段は、複数種類の景品から前記受付手段によって受け付けられた画像に応じたものを付与するための処理を行うことを特徴とする請求項６〜８の何れか一項に記載の景品提供システム。
【請求項１０】
付与する景品としてのクーポンを発行する発行手段を備えたことを特徴とする請求項６〜９の何れか一項に記載の景品提供システム。
【請求項１１】
表示装置のコンピュータを、
複数種類の画像を表示する表示手段、
前記複数種類の画像から何れかを受け付ける受付手段、
前記受付手段によって受け付けられた画像に対応した当せん確率で抽選を行う抽選手段、
前記抽選手段によって当せんとしたときに、景品を付与するための処理を行う景品付与手段、
として機能させるためのプログラム。
【発明の詳細な説明】
【技術分野】
【０００１】
本発明は、表示装置、景品提供システム及びプログラムに関する。
【背景技術】
【０００２】
従来、例えば、デジタルサイネージ装置などの表示装置においては、広告画像の内容を容易に変更することができるため、最新の情報を常に閲覧者に提供できる点で優れた広告効果を発揮する（例えば、特許文献１）。
【０００３】
近年では、顧客が有する携帯機器と表示装置とを通信させることにより、表示中の広告内容に関連した景品（例えばクーポン券など）を表示装置から携帯機器へと転送する技術も開発されている。
【先行技術文献】
【特許文献】
【０００４】
【特許文献１】特開２０１２−１２８２１０号公報
【発明の概要】
【発明が解決しようとする課題】
【０００５】
ところで、このような景品発行型の表示装置にあっては、より多く見てもらうことが広告効果を高めることにつながっている。
【０００６】
本発明の課題は、注目度を向上させることである。
【課題を解決するための手段】
【０００７】
請求項１に記載の発明の表示装置は、複数種類の画像を表示する表示手段と、前記複数種類の画像から何れかを受け付ける受付手段と、前記受付手段によって受け付けられた画像に対応した当せん確率で抽選を行う抽選手段と、前記抽選手段によって当せんとしたときに、景品を付与するための処理を行う景品付与手段と、を備えたことを特徴とする。
【０００８】
請求項６に記載の発明の景品提供システムは、表示装置と、景品提供装置とを備えた景品提供システムにおいて、前記表示装置は、複数種類の画像を表示する表示手段を備え、前記景品提供装置は、前記複数種類の画像から何れかを受け付ける受付手段と、前記受付手段によって受け付けられた画像に対応した当せん確率で抽選を行う抽選手段と、前記抽選手段によって当せんとしたときに、景品を付与するための処理を行う景品付与手段と、を備えたことを特徴とする。
【０００９】
請求項１１に記載の発明のプログラムは、表示装置のコンピュータを、複数種類の画像を表示する表示手段、前記複数種類の画像から何れかを受け付ける受付手段、前記受付手段によって受け付けられた画像に対応した当せん確率で抽選を行う抽選手段、前記抽選手段によって当せんとしたときに、景品を付与するための処理を行う景品付与手段、として機能させるためのプログラムである。
【発明の効果】
【００１０】
本発明によれば、注目度を向上させることができる。
【図面の簡単な説明】
【００１１】
【図１】本実施の形態における景品提供システムの概略構成を示すブロック図である。
【図２】デジタルサイネージ装置の主制御構成を示すブロック図である。
【図３】スクリーン部の概略構成を示す正面図である。
【図４】表示部に表示される表示内容の一例について説明する図である。
【図５】パターン画像の一例について説明する図である。
【図６】携帯端末の主制御構成を示すブロック図である。
【図７】抽選サーバの主制御構成を示すブロック図である。
【図８】景品選択テーブルの構成について説明する図である。
【図９】携帯端末の表示部に表示される画面の一例について説明する図である。
【図１０】携帯端末の表示部に表示される画面の一例について説明する図である。
【図１１】デジタルサイネージ装置において複数種類のパターン画像を表示するための処理の流れについて説明するシーケンス図である。
【図１２】クーポンを付与するための処理の流れについて説明するシーケンス図である。
【図１３】他の形態のクーポンを付与するための処理の流れについて説明するシーケンス図である。
【発明を実施するための形態】
【００１２】
以下に、本発明を実施するための最良の形態について図面を用いて説明する。ただし、以下に述べる実施形態には、本発明を実施するための技術的に好ましい種々の限定が付されているが、発明の範囲を以下の実施形態及び図示例に限定するものではない。
【００１３】
図１は本実施の形態の景品提供システム１の概略構成を示すブロック図である。景品提供システム１には、本発明に係る表示装置としてのデジタルサイネージ装置２と、本発明に係る景品提供装置としての抽選サーバ３と、携帯端末４とが備えられている。これらの装置は、例えば、ネットワークＮを介して通信自在に構成されている。また、携帯端末４は、例えば、ＮＦＣ（Near Field Communication）、Ｂｌｕｅｔｏｏｔｈ（登録商標）及び赤外線通信等の近距離無線通信技術によってデジタルサイネージ装置２と通信自在に構成されている。本実施の形態では、例えば、デジタルサイネージ装置２と抽選サーバ３とが店舗内に設置された態様となっているが、これに限定はされない。また、上述した各装置は、例えば、ＨＴＴＰ（HyperText Transfer Protocol）によるデータ通信が行われるが、通信プロトコルについてはＨＴＴＰに限定されず、種々のものを適用することができる。
【００１４】
図２はデジタルサイネージ装置２の主制御構成を示すブロック図である。デジタルサイネージ装置２は、画像の映像光を照射する投影部２１と、投影部２１から照射された映像光を背面で受けて前面に投影するスクリーン部２２とを備えている。
【００１５】
投影部２１は、画像や音声からなるコンテンツデータに基づいて各部を制御する制御部２１１と、制御部２１１に接続され、当該制御部２１１から出力された映像データを映像光に変換してスクリーン部２２に向けて照射するプロジェクタ２１２と、各種プログラムや各コンテンツデータを記憶する記憶部２１３と、ネットワークＮを介して抽選サーバ３と通信する通信部２１４とを備えている。
【００１６】
次に、スクリーン部２２について説明する。
図３は、スクリーン部２２の概略構成を示す正面図である。図３に示すようにスクリーン部２２には、方形状の表示部２７と、表示部２７を支持する台座２８とが備えられている。
表示部２７は、映像光の照射方向に対して略直交する例えばアクリル板などの一枚の透光板２９によって形成されている。透光板２９の背面には背面投影用のフィルムスクリーンが積層され、なおかつフィルムスクリーンの背面にはフィルム状のフレネルレンズが積層されている。そして、表示部２７の上部には、例えばカメラ等の撮像部２２１が設けられている。この撮像部２２１が表示部２７に対向する空間の映像をリアルタイムに撮像している。また、表示部２７の表面には、顧客によってタッチ操作が可能なタッチパネル２２６が設けられている。タッチパネル２２６に対するタッチ操作が行われると、タッチ操作が行われた位置を示す位置信号を制御部２１１に出力する。タッチパネル２２６は、静電容量方式や感圧式等、様々な方式のものを採用することができる。
台座２８には、携帯端末４と通信し携帯端末４に対して情報を読み書きするためのリーダライター部２２２と、ボタン式の操作部２２３と、スピーカ等の音声出力部２２４と、マイク等の音声入力部２２５とが設けられている。
撮像部２２１、リーダライター部２２２、操作部２２３、音声出力部２２４及び音声入力部２２５は、図２に示すように制御部２１１に接続されている。
【００１７】
制御部２１１は、リーダライター部２２２に対して携帯端末４が翳されると、読み取り時においては携帯端末４に記憶されている情報をリーダライター部２２２を介して読み出す。本実施の形態では、制御部２１１は、リーダライター部２２２を介して、例えば、表示部２７に表示されたパターン画像を携帯端末４にて撮像したときに、その撮像したパターン画像の情報を読み取ることができる。
制御部２１１は、撮像部２２１から得られた画像や、音声入力部２２５から得られた音声を解析し、その解析内容に関連したコンテンツデータを記憶部２１３から読み出して、プロジェクタ２１２及び音声出力部２２４を制御する。
制御部２１１は、携帯端末４からの情報や、操作部２２３及びタッチパネル２２６からの操作信号によって、通信部２１４を制御して抽選サーバ３と通信を行う。通信により得られた情報は記憶部２１３に格納される。
【００１８】
本実施の形態では、制御部２１１は、詳しくは後述するが、抽選サーバ３からパターン画像の画像データを受信すると、プロジェクタ２１２を制御して、例えば、図４に示すような態様でパターン画像Ｐ１〜Ｐ６を表示部２７に表示する。パターン画像Ｐ１〜Ｐ６は複数種類あり、それぞれ表示の内容が異なっている。また、各パターン画像Ｐ１〜Ｐ６は、それぞれ１又は複数の図柄の組み合わせから構成されており、図柄は、例えば、特徴を抽出することができる任意の図形、文字、写真あるいはコード等からなる。特徴とは、例えば、画像のテクスチャや色等の特徴、ＯＣＲ（Optical Character Reader）により識別可能な文字情報又はバーコード等を指す。なお、パターン画像Ｐ１〜Ｐ６は、枠線に囲まれた表示態様であってもよいし、枠線が設けられていない表示態様であってもよい。また、パターン画像Ｐ１〜Ｐ６の表示位置や大きさは任意に設定することができ、例えば、パターン画像Ｐ１〜Ｐ６の表示位置をランダムな位置としてもよく、あるいは、予め定められた位置としてもよい。また、表示するパターン画像の数も任意に設定することができる。また、パターン画像Ｐ１〜Ｐ６の表示の効果も任意に設定することができ、例えば、点滅表示や時間の経過に応じた移動表示を行うようにしてもよい。また、各パターン画像Ｐ１〜Ｐ６は、表示部２７に常時表示させるようにしてもよいし、予め定められた時間に表示させるようにしてもよいし、あるいは、ランダムに決定された時間に表示させるようにしてもよい。また、パターン画像Ｐ１〜Ｐ６は、例えば、背景画像に埋め込まれて表示される態様であってもよい。このように、本実施の形態では、プロジェクタ２１２及び表示部２７は、複数種類の画像を表示する表示手段として機能する。
【００１９】
ここで、パターン画像の例について、図５を参照しながら説明する。図５は、図４におけるパターン画像Ｐ５の表示例を表している。
パターン画像Ｐ５は、横長に延びた方形状の枠内に複数の図柄が配置されている。すなわち、パターン画像Ｐ５は、２次元コードＣ１，Ｃ２、写真ＩＭ１及び文字情報ＴＸ１，ＴＸ２の各図柄によって構成されている。パターン画像に、例えば、商品を宣伝する文章や画像を提示することにより、宣伝効果を高めることができる。なお、パターン画像の枠は横長の方形状に限定されず、縦長の方形状であってもよく、また、正方形、三角形、円形等何れの形状であってもよい。また、パターン画像を構成する図柄の形態も上述したものに限定されない。
【００２０】
また、本実施の形態では、制御部２１１は、詳しくは後述するが、抽選サーバ３から抽選結果を受信すると、プロジェクタ２１２を制御して抽選結果を表示するとともに、音声出力部２２４から抽選結果に対応する音声の出力を行う。なお、抽選結果は、プロジェクタ２１２による表示及び音声出力部２２４による音声の出力の何れか一方によって行われるものであってもよい。また、抽選結果をＬＥＤ（Light Emitting Diode）等の発光体によって報知する態様であってもよい。
【００２１】
また、本実施の形態では、制御部２１１は、抽選サーバ３から当たり景品としてのクーポンの情報を受信すると、プロジェクタ２１２を制御して顧客に付与されるクーポンの内容を表示するとともに、音声出力部２２４から当該クーポンに関する音声の出力を行う。
このように、本実施の形態では、デジタルサイネージ装置２の表示部２７に抽選結果や獲得したクーポンの内容を表示することにより、周囲の人にデジタルサイネージ装置２の利用を促すことができる。
【００２２】
図６は、携帯端末４の主制御構成を示すブロック図である。
携帯端末４は、例えば、携帯電話、スマートフォン、タブレット式端末などの携帯機器である。図６に示すように、携帯端末４には、例えば、表示部４０１と、操作部４０２と、撮像部４０３と、通信部４０４と、近距離通信部４０５と、記憶部４０６と、これらを制御する制御部４０７とが設けられている。
表示部４０１は、例えば、液晶パネルや有機ＥＬ（Electro Luminescence）パネル等から構成されている。
操作部４０２は、例えば、タッチパネルや、操作キー等である。
撮像部４０３は、例えば、ＣＣＤ（Charge Coupled Device）カメラ等である。
通信部４０４は、３Ｇ（3rd Generation）やＬＴＥ（Long Term Evolution）、Ｗｉ−Ｆｉ（Wireless Fidelity）などの規格によりネットワークＮを介してデジタルサイネージ装置２及び抽選サーバ３と通信を行う。
近距離通信部４０５は、例えば、ＮＦＣ、Ｂｌｕｅｔｏｏｔｈ及び赤外線通信などの近距離無線通信技術によってデジタルサイネージ装置２のリーダライター部２２２と通信を行う。
記憶部４０６には、デジタルサイネージ装置２及び抽選サーバ３との通信を行うためのアプリケーションが記憶されている。
制御部４０７は、例えば、撮像部４０３によって撮影されたパターン画像を、アプリケーションを起動して通信部４０４を介して抽選サーバ３に送信することにより、景品としてのクーポンが当たるくじ引きに参加することができる。なお、撮影されたパターン画像をそのまま抽選サーバ３に送信する形態に限らず、例えば、パターン画像を解析し、その解析結果を抽選サーバ３に送信する形態であってもよい。パターン画像の解析は、例えば、ＯＣＲ機能による文字認識や、バーコードの読み取り等の適宜の方法によって行われる。
【００２３】
図７は、抽選サーバ３の主制御構成を示すブロック図である。
図７に示すように、抽選サーバ３には、例えば、表示部３０１と、操作部３０２と、通信部３０３と、記憶部３０５と、これらを制御する制御部３０６とが設けられている。
表示部３０１は、例えば、液晶パネルや有機ＥＬパネル等から構成されている。
操作部３０２は、例えば、キーボード、マウス等である。
通信部３０３は、ネットワークＮを介してデジタルサイネージ装置２や携帯端末４と通信を行うものである。
記憶部３０５は、例えば、ＨＤＤ（Hard Disk Drive）等の記録媒体によって構成され、抽選サーバ３を動作させるためのシステムプログラムや各種制御プログラム及び各種データが記憶されている。
【００２４】
制御部３０６は、上述した複数種類のパターン画像を生成し、登録する。そして、制御部３０６は、登録されたパターン画像毎にパターン画像番号を付与するとともに、このパターン画像番号に対応させてサービスの提供を行う店舗の情報と、当せんしたときに付与する景品としてのクーポンの情報と、当せん確率情報とが記述された、図８に示すような景品選択テーブルを作成する。本実施の形態では、パターン画像を構成する各図柄のそれぞれについて、パターン画像番号が特定できるように登録されている。制御部３０６は、このようにして作成されたパターン画像をデジタルサイネージ装置２の表示部２７に表示させるために、デジタルサイネージ装置２に対してパターン画像の画像データを送信する。
【００２５】
また、制御部３０６は、携帯端末４により撮影されたパターン画像を携帯端末４から受信すると、所定の当せん確率によるくじ引きを行う抽選処理を実行する。なお、携帯端末４から送信するものはパターン画像に限らず、上述したようにパターン画像を携帯端末４で解析した結果であってもよい。
【００２６】
具体的には、まず、携帯端末４から送信された画像パターンを構成する各図柄を解析してパターン画像番号を特定する。制御部３０６は、例えば、バーコード認識部、文字認識部、画像特徴識別部等を備えており、各部により、各図柄の解析を行う。バーコード認識部は、例えば、バーコードや２次元コードの解析を行う。文字認識部は、例えば、ＯＣＲ機能により文字の解析を行う。画像特徴識別部は、例えば、色情報やテクスチャ情報があらかじめ登録されていて、これに基づいて画像の解析を行う。その他、例えば、背景画像に埋め込まれたパターン画像を識別し、これを解析する機能を有していてもよい。制御部３０６は、例えば、解析結果から識別の信頼性の最も高いものを選択し、これに基づいてパターン画像番号を特定する。なお、パターン画像に含まれる各図柄を全て解析してパターン画像番号を特定してもよいし、予め定められた１又は複数の図柄のみを解析してパターン画像番号を特定するようにしてもよい。
【００２７】
次に、制御部３０６は、図８に示すような景品選択テーブルを参照して、特定したパターン画像番号に対応するサービス提供店舗の情報、クーポンの情報及び当せん確率情報を読み出す。制御部３０６は、読み出した当せん確率情報に示される当せん確率に従って抽選処理を実行する。制御部３０６は、抽選処理による抽選を行った結果（当たり／はずれ）を通信部３０３を介して携帯端末４及びデジタルサイネージ装置２に送信する。なお、抽選結果は、携帯端末４及びデジタルサイネージ装置２の何れか一方にのみ送信してもよい。また、抽選処理による抽選としては、所定の確率で当たりが当せんするようなものに限定されず、例えば、１等賞〜５等賞から何れかの賞をそれぞれの確率で抽選するような態様であってもよい。
【００２８】
また、制御部３０６は、読み出したクーポンの情報を当たり景品情報として通信部３０３を介して携帯端末４に送信する。携帯端末４の制御部４０７は、例えば、抽選サーバ３から当たりである旨の抽選結果とクーポンの情報とを受信すると、図９に示すように、当たりである旨の表示と景品であるクーポンの内容とを表示部４０１に表示する。また、携帯端末４の制御部４０７は、例えば、抽選サーバ３からはずれである旨の抽選結果を受信すると、図１０に示すように、はずれである旨の表示を表示部４０１に表示し、再度の挑戦を促す。なお、景品はクーポンに限らず、店舗に従事する従業員が顧客に対して製品を手渡す形態であってもよい。また、クーポンを抽選サーバ３から顧客の携帯端末４に直接送信する形態に限らず、例えば、クーポンの情報を抽選サーバ３からデジタルサイネージ装置２に送信し、デジタルサイネージ装置２のリーダライター部２２２を介してクーポンを携帯端末４に提供する形態であってもよい。また、クーポンを発行する装置は抽選サーバ３に限定されず、本実施の形態に係る景品提供システム１を構成する各装置においても実現することができる。また、クーポンを携帯端末４に送信する形態に限らず、例えば、発券装置にてクーポンを出力する形態であってもよい。
【００２９】
以上のように構成された景品提供システム１における処理の流れについて、図１１を参照しながら説明する。図１１は、デジタルサイネージ装置２において複数種類のパターン画像を表示するための処理の流れについて説明するシーケンス図である。
【００３０】
まず、抽選サーバ３の制御部３０６は、上述したようにして複数種類のパターン画像を生成し、景品選択テーブルを作成する（Ｓ１０１）。制御部３０６は、作成した複数種類のパターン画像の画像データをデジタルサイネージ装置２に送信する（Ｔ１０２）。デジタルサイネージ装置２の制御部２１１は、受信したパターン画像の画像データに基づき、プロジェクタ２１２を制御して表示部２７にパターン画像を表示させる（Ｓ１０３）。
【００３１】
次に、図１２を参照しながら、クーポンを付与するための処理の流れについて説明する。
【００３２】
まず、携帯端末４の制御部４０７は、撮像部４０３によってデジタルサイネージ装置２の表示部２７に表示されたパターン画像を撮影するための撮影処理を実行する（Ｓ２０１）。制御部４０７は、撮影したパターン画像を抽選サーバ３に送信する（Ｔ２０２）。なお、ここで、制御部４０７は、撮影したパターン画像そのものを抽選サーバ３に送信するものに限らず、撮影したパターン画像を解析し、その解析結果を抽選サーバ３に送信する形態であってもよい。
【００３３】
抽選サーバ３の制御部３０６は、携帯端末４から送信されたパターン画像を解析してパターン画像番号を特定し、景品選択テーブルを参照することにより、クーポンを特定する（Ｓ２０３）。続いて、制御部３０６は、特定したパターン画像番号に対応する当せん確率でのくじ引きを行う抽選処理を実行する（Ｓ２０４）。制御部３０６は、抽選処理による抽選結果とともに当たり景品としてのクーポンの情報を携帯端末４に送信する（Ｔ２０５）。なお、クーポンの情報は、抽選結果が当たりの場合に送信される。携帯端末４の制御部４０７は、抽選サーバ３から抽選結果及びクーポンの情報を受信すると、表示部４０１を制御して、抽選結果が当たりの場合は、上述したようにして当たりである旨の表示とともに、クーポンの内容を表示する。一方、制御部４０７は、抽選結果がはずれである場合は、表示部４０１を制御して、はずれである旨の表示を行う（Ｓ２０６）。
このように、本実施の形態では、抽選サーバ３の制御部３０６は、複数種類の画像から何れかを受け付ける受付手段として機能する。
また、本実施の形態では、抽選サーバ３の制御部３０６は、受け付けられた画像に対応した当せん確率で抽選を行う抽選手段として機能する。
また、本実施の形態では、抽選サーバ３の制御部３０６は、当せんとしたときに、景品を付与するための処理を行う景品付与手段として機能する。
また、本実施の形態では、抽選サーバ３の制御部３０６は、付与する景品としてのクーポンを発行する発行手段として機能する。
本実施の形態は、上述した構成としたので、顧客がより当せん確率の高いパターン画像を探してこれを撮影し、くじ引きを繰り返し実施しようとするのを期待でき、デジタルサイネージ装置２の利用頻度を向上させることができるようになり、デジタルサイネージ装置２を利用した広告の宣伝効果を向上させることができる。
【００３４】
なお、上述した実施の形態では、デジタルサイネージ装置２の表示部２７に表示されたパターン画像を携帯端末４にて撮影し、撮影されたパターン画像を抽選サーバ３に送信し、抽選サーバ３がこのパターン画像を受信することをトリガーとしてくじ引きを実施するようにしたが、例えば、デジタルサイネージ装置２の表示部２７に表示された複数種類のパターン画像からタッチパネル２２６によるタッチ操作により一のパターン画像を選択し、選択したパターン画像の情報を抽選サーバ３に送信し、抽選サーバ３がこのパターン画像を受信することをトリガーとしてくじ引きを実施するようにしてもよい。このとき、デジタルサイネージ装置２では、例えば、選択したパターン画像のパターン画像番号を抽選サーバ３に送信することにより、抽選サーバ３におけるパターン画像の解析処理を省略することができる。そして、抽選サーバ３は、抽選結果及びクーポンの情報をデジタルサイネージ装置２に送信し、デジタルサイネージ装置２においてクーポンを発行するようにしてもよい。
このように、本実施の形態では、タッチパネル２２６は、複数種類の画像から何れかを選択操作するための操作手段として機能する。
また、本実施の形態では、デジタルサイネージ装置２の制御部２１１は、操作手段の操作によって選択された画像を示す情報を景品提供装置に送信する送信手段として機能する。
また、本実施の形態では、抽選サーバ３の制御部３０６は、表示装置から送信された画像を示す情報を受信する受信手段として機能する。
【００３５】
また、上述した実施の形態は、デジタルサイネージ装置２、抽選サーバ３及び携帯端末４によって景品提供システム１を構成するものであったが、抽選サーバ３の機能をデジタルサイネージ装置２に備えるようにして、デジタルサイネージ装置２と携帯端末４とで景品提供システム１を構成することも可能である。
【００３６】
より具体的な処理の流れについて、図１３を参照しながら説明する。図１３は、クーポンを付与するための処理の流れについて説明するシーケンス図である。
【００３７】
すなわち、デジタルサイネージ装置２の制御部２１１は、パターン画像を登録して景品選択テーブルを作成し（Ｓ３０１）、プロジェクタ２１２を制御して登録したパターン画像を表示部２７に表示する（Ｓ３０２）。
【００３８】
一方、携帯端末４の制御部４０７は、上述した撮影処理を実行し（Ｓ３０３）、撮影されたパターン画像を、アプリケーションを起動して通信部４０４あるいは近距離通信部４０５を介してデジタルサイネージ装置２に送信する（Ｔ３０５）。デジタルサイネージ装置２の制御部２１１は、携帯端末４により撮影されたパターン画像を携帯端末４から受信すると、パターン画像を解析してパターン画像番号を特定し、景品選択テーブルを参照することにより、クーポンを特定する（Ｓ３０５）。続いて、制御部２１１は、特定したパターン画像に対応する当せん確率によるくじ引きを行う抽選処理を実行する（Ｓ３０６）。制御部２１１は、抽選処理による抽選結果及びクーポンの情報を通信部２１４あるいはリーダライター部２２２を介して携帯端末４に送信する（Ｔ３０７）。携帯端末４の制御部４０７は、受信した抽選結果及びクーポンの情報に基づいて当たり又ははずれである旨及びクーポンの内容を表示部４０１に表示する（Ｓ３０８）。
このように、本実施の形態では、デジタルサイネージ装置２の制御部２１１は、複数種類の画像から何れかを受け付ける受付手段として機能する。
また、本実施の形態では、デジタルサイネージ装置２の制御部２１１は、受け付けられた画像に対応した当せん確率で抽選を行う抽選手段として機能する。
また、本実施の形態では、デジタルサイネージ装置２の制御部２１１は、当せんとしたときに、景品を付与するための処理を行う景品付与手段として機能する。
また、本実施の形態では、デジタルサイネージ装置２の制御部２１１は、付与する景品としてのクーポンを発行する発行手段として機能する。
【００３９】
以上説明したように、本実施の形態では、プロジェクタ２１２及び表示部２７は、複数種類の画像を表示する。制御部２１１は、複数種類の画像から何れかを受け付ける。制御部２１１は、受け付けた画像に対応した当せん確率で抽選を行う。制御部２１１は、当せんとしたときに、景品を付与するための処理を行う。その結果、顧客に表示装置の表示内容をより多く見てもらうことが期待でき、表示装置に対する注目度を向上させることができる。また、顧客に景品を得ようと複数回の抽選を実施させることが期待でき、利用頻度を高めることができる表示装置を提供することができる。
【００４０】
また、本実施の形態では、デジタルサイネージ装置２は、撮像部４０３を備えた携帯端末４と通信可能である。制御部２１１は、携帯端末４によって撮像された画像を示す情報を受信することにより、複数種類の画像から何れかを受け付ける。その結果、顧客に画像を撮影して抽選を行うという新規な遊戯を提供することができ、興趣を高めることができる。
【００４１】
また、本実施の形態では、制御部２１１は、タッチパネル２２６の操作によって選択された画像を受け付ける。その結果、表示された画像をタッチして抽選を行うという新規な遊戯を提供することができ、興趣を高めることができる。
【００４２】
また、本実施の形態では、制御部２１１は、複数種類の景品から受け付けられた画像に応じたものを付与するための処理を行う。その結果、顧客に様々な景品を得ようと様々な画像を選択して抽選を実施させることが期待でき、利用頻度をより高めることができる。
【００４３】
また、本実施の形態では、制御部２１１は、付与する景品としてのクーポンを発行する処理を行う。その結果、簡便な方法にて景品を顧客に提供することができ、利便性が向上する。
【００４４】
また、本実施の形態では、デジタルサイネージ装置２のプロジェクタ２１２及び表示部２７は、複数種類の画像を表示する。抽選サーバ３の制御部３０６は、複数種類の画像から何れかを受け付ける。抽選サーバ３の制御部３０６は、受け付けられた画像に対応した当せん確率で抽選を行う。抽選サーバ３の制御部３０６は、当せんしたとき、景品を付与するための処理を行う。その結果、顧客に景品を得ようと複数回の抽選を実施させることが期待でき、利用頻度を高めることができる景品提供システムを提供することができる。
【００４５】
また、本実施の形態では、抽選サーバ３は、撮像部４０３を備えた携帯端末４と通信可能である。抽選サーバ３の制御部３０６は、携帯端末４によって撮像された画像を示す情報を受信することにより、複数種類の画像から何れかを受け付ける。その結果、顧客に画像を撮影して抽選を行うという新規な遊戯を提供することができ、興趣を高めることができる。
【００４６】
また、本実施の形態では、デジタルサイネージ装置２の制御部２１１は、タッチパネル２２６の操作によって選択された画像を示す情報を抽選サーバ３に送信する。抽選サーバ３の制御部３０６は、デジタルサイネージ装置２から送信された画像を示す情報を受信する。抽選サーバ３の制御部３０６は、受信した画像を示す情報に基づいて複数種類の画像から何れかを受け付ける。その結果、表示された画像をタッチして抽選を行うという新規な遊戯を提供することができ、興趣を高めることができる。
【００４７】
また、本実施の形態では、抽選サーバ３の制御部３０６は、複数種類の景品から受け付けられた画像に応じたものを付与するための処理を行う。その結果、顧客に様々な景品を得ようと様々な画像を選択して抽選を実施させることが期待でき、利用頻度をより高めることができる。
【００４８】
また、本実施の形態では、抽選サーバ３の制御部３０６は、付与する景品としてのクーポンを発行する処理を行う。その結果、簡便な方法にて景品を顧客に提供することができ、利便性が向上する。
【００４９】
なお、上記実施形態における記述内容は、本発明に係る表示装置の好適な一例であり、これに限定されるものではない。
【００５０】
また、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００５１】
その他、表示装置を構成する各装置の細部構成及び細部動作に関しても、発明の趣旨を逸脱することのない範囲で適宜変更可能である。
【００５２】
本実施の形態において、例えば、他の店舗等に設置されたデジタルサイネージ装置２でくじ引きした履歴を顧客毎に管理し、くじ引きした履歴に応じて景品の種類や当せん確率を変更するようにしてもよい。このようにすれば、他の店舗等に設置されたデジタルサイネージ装置での利用を促進することができる。
【００５３】
また、本実施の形態において、例えば、景品の種類や当せん確率について示唆する表示をデジタルサイネージ装置２の表示部２７に表示するようにしてもよい。これにより、顧客は、所望の景品を獲得可能なパターン画像を探すため、デジタルサイネージ装置による広告効果を高めることができるようになる。また、顧客が他の景品も獲得しようとしてくじ引きを繰り返し利用されることが期待でき、広告効果をさらに高めることができるようになる。
【００５４】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数種類の画像を表示する表示手段と、
前記複数種類の画像から何れかを受け付ける受付手段と、
前記受付手段によって受け付けられた画像に対応した当せん確率で抽選を行う抽選手段と、
前記抽選手段によって当せんとしたときに、景品を付与するための処理を行う景品付与手段と、
を備えたことを特徴とする表示装置。
＜請求項２＞
撮像手段を備えた携帯端末と通信可能であって、
前記受付手段は、前記携帯端末によって撮像された画像を示す情報を受信することにより、前記複数種類の画像から何れかを受け付けることを特徴とする請求項１に記載の表示装置。
＜請求項３＞
前記複数種類の画像から何れかを選択操作するための操作手段を備え、
前記受付手段は、操作手段の操作によって選択された画像を受け付けることを特徴とする請求項１に記載の表示装置。
＜請求項４＞
前記景品付与手段は、複数種類の景品から前記受付手段によって受け付けられた画像に応じたものを付与するための処理を行うことを特徴とする請求項１〜３の何れか一項に記載の表示装置。
＜請求項５＞
付与する景品としてのクーポンを発行する発行手段を備えたことを特徴とする請求項１〜４の何れか一項に記載の表示装置。
＜請求項６＞
表示装置と、景品提供装置とを備えた景品提供システムにおいて、
前記表示装置は、
複数種類の画像を表示する表示手段を備え、
前記景品提供装置は、
前記複数種類の画像から何れかを受け付ける受付手段と、
前記受付手段によって受け付けられた画像に対応した当せん確率で抽選を行う抽選手段と、
前記抽選手段によって当せんとしたときに、景品を付与するための処理を行う景品付与手段と、
を備えたことを特徴とする景品提供システム。
＜請求項７＞
前記景品提供装置は、撮像手段を備えた携帯端末と通信可能であって、
前記受付手段は、前記携帯端末によって撮像された画像を示す情報を受信することにより、前記複数種類の画像から何れかを受け付けることを特徴とする請求項６に記載の景品提供システム。
＜請求項８＞
前記表示装置は、
前記複数種類の画像から何れかを選択操作するための操作手段と、
前記操作手段の操作によって選択された画像を示す情報を前記景品提供装置に送信する送信手段と、
を備え、
前記景品提供装置は、前記表示装置から送信された画像を示す情報を受信する受信手段を備え、
前記受付手段は、前記受信手段によって受信した画像を示す情報に基づいて前記複数種類の画像から何れかを受け付けることを特徴とする請求項６に記載の景品提供システム。
＜請求項９＞
前記景品付与手段は、複数種類の景品から前記受付手段によって受け付けられた画像に応じたものを付与するための処理を行うことを特徴とする請求項６〜８の何れか一項に記載の景品提供システム。
＜請求項１０＞
付与する景品としてのクーポンを発行する発行手段を備えたことを特徴とする請求項６〜９の何れか一項に記載の景品提供システム。
＜請求項１１＞
表示装置のコンピュータを、
複数種類の画像を表示する表示手段、
前記複数種類の画像から何れかを受け付ける受付手段、
前記受付手段によって受け付けられた画像に対応した当せん確率で抽選を行う抽選手段、
前記抽選手段によって当せんとしたときに、景品を付与するための処理を行う景品付与手段、
として機能させるためのプログラム。
【符号の説明】
【００５５】
１  景品提供システム
２  デジタルサイネージ装置（表示装置）
３  抽選サーバ（景品提供装置）
２１１  制御部（送信手段、受付手段、抽選手段、景品付与手段、発行手段）
２１２  プロジェクタ（表示手段）
２２６  タッチパネル（操作手段）
３０６  制御部（受付手段、抽選手段、景品付与手段、受信手段、発行手段）
【図１】
2014197301.tif 000003
【図２】
2014197301.tif 000004
【図３】
2014197301.tif 000005
【図４】
2014197301.tif 000006
【図５】
2014197301.tif 000007
【図６】
2014197301.tif 000008
【図７】
2014197301.tif 000009
【図８】
2014197301.tif 000010
【図９】
2014197301.tif 000011
【図１０】
2014197301.tif 000012
【図１１】
2014197301.tif 000013
【図１２】
2014197301.tif 000014
【図１３】
2014197301.tif 000015